(57)【要約】  【課題】疑似アナログメータにおいても、表示されたデータの一部を視覚以外の五感によっても認識できる装置の提供。  【解決手段】本発明にかかる表示装置においては、表示すべきデータを出力する表示データ出力手段と、該表示データ出力手段から出力されたデータに基づいて、複数の表示素子を順次制御して指針に相当する画像を表示するように構成された表示手段とを備えた表示装置において、前記表示データ出力手段から出力されるデータが、前記表示手段における所定の表示範囲を越えたときに可聴音を発する化著音出力手段を備えた。また、所定の表示範囲を越えたときの時間変化量に応じて、異なる音量の可聴音を音響信号としてスピーカから発するようにした。また、所定の表示範囲を越えたときの時間変化量に応じて、異なる周波数の可聴音を音響信号としてスピーカから発するようにした。【選択図】      図１
2005140717.tif 000002
【特許請求の範囲】
【請求項１】
表示すべきデータを出力する表示データ出力手段と、
該表示データ出力手段から出力されたデータに基づいて、複数の表示領域を順次制御して指針に相当する画像を表示するように構成された表示手段とを備えた表示装置において、前記表示データ出力手段から出力されるデータが、前記表示手段における所定の表示範囲を越えたときに可聴音を発する可聴音出力手段を備えていることを特徴とする表示装置。
【請求項２】
前記可聴音出力手段は、
前記表示データ出力手段から出力されるデータが、前記表示手段における所定の表示範囲を越えたときに制御信号を出力する比較手段と、
前記比較手段から制御信号が出力されたときの前記データの時間変化量を算出して出力する変化量算出手段と、
前記制御信号が出力されたときに、前記時間変化量を取得して、時間変化量に応じた可聴音信号を出力する可聴音制御手段と、
該可聴音制御手段から出力される可聴音信号に基づいた音響信号を出力するスピーカと
から構成されていることを特徴とする請求項１に記載の表示装置。
【発明の詳細な説明】
【技術分野】
【０００１】
本発明は、電気的なデータを、デジタル処理によって、擬似的にアナログ表示する表示装置に関するものである。
【背景技術】
【０００２】
従来より、電気的なデータをデジタル処理して表示する場合には、前記データを数値表示することが行われていた。そのための表示装置としては、最近はグラフィック表示機能を備えた表示装置が用いられるようになっており、表示される数値を大きく拡大したり、色を変えたりして表示することも可能になっている。
しかし、数値表示では精確ではあっても、随時変化するデータの場合には、変化の様子を把握することや、一目でどの程度であるかを判断すること等には適していなかった。
【０００３】
ところが、目盛板の上で機械的な指針が振れることによってデータを表示するような構造の旧来の指針式メータ（以下、機械式アナログメータという。）は、変化の様子を把握することや、一目でどの程度であるかを判断すること等には適してた。
そこで、グラフィック表示機能を備えた表示装置に指針式メータに相当する画像をグラフィック表示し、デジタル処理したデータに基づいて表示された指針画像の表示位置を変更することによって、あたかも指針が振れているように表示するように構成された表示装置（以下、疑似アナログメータという。）がある。（例えば、特許文献１参照）
【０００４】
【特許文献１】特開平６−２６６３０７号公報
【発明の開示】
【発明が解決しようとする課題】
【０００５】
ところが、上述したような従来の疑似アナログメータでは、確かに、数値表示ではなくデータに応じた角度で指針が表示されるので、変化の様子を把握することや、一目でどの程度であるかを判断すること等は可能であるが、本当の機械式アナログメータのような使用感が十分に得られるものではなかった。
例えば、機械式アナログメータでは、データが急激に変化して指針が振り切れる場合には、指針が機械的なストッパに当たって「トン」というような叩音が発生するが、疑似アナログメータではそのような叩音は発生しない。
前記叩音は、機械式アナログメータの機能として設定されているものではなく、機械式アナログメータが機械式であるが故に発生してしまうものである。しかし、長年、機械式アナログメータに馴染んでいるユーザにとっては、このような視覚以外の五感、例えば聴覚を介して得られる情報（この場合の叩音）によっても、データの変化等を無意識に体感して把握しているものである。
従って、疑似アナログメータでは、そのような視覚以外の五感を介した情報が不足しているため、本当の機械式アナログメータの似た使用感が十分に得られないという問題があった。
【０００６】
そこで、本発明は、疑似アナログメータにおいても、表示されたデータの一部を視覚以外の五感によっても認識できる装置の提供を目的としてなされたものである。
【課題を解決するための手段】
【０００７】
本発明にかかる表示装置の請求項１では、
表示すべきデータを出力する表示データ出力手段と、
該表示データ出力手段から出力されたデータに基づいて、複数の表示素子を順次制御して指針に相当する画像を表示するように構成された表示手段とを備えた表示装置において、前記表示データ出力手段から出力されるデータが、前記表示手段における所定の表示範囲を越えたときに可聴音を発する可聴音出力手段を備えている。
請求項２では、
前記可聴音出力手段は、
前記表示データ出力手段から出力されるデータが、前記表示手段における所定の表示範囲を越えたときに制御信号を出力する比較手段と、
前記比較手段から制御信号が出力されたときの前記データの時間変化量を算出して出力する変化量算出手段と、
前記制御信号が出力されたときに、前記時間変化量を取得して、時間変化量に応じた可聴音信号を出力する可聴音制御手段と、
該可聴音制御手段から出力される可聴音信号に基づいた音響信号を出力するスピーカと
から構成されていることを特徴としている。
なお、前記時間変化量とは、単位時間当たりのデータの変化量を示している。
【発明の効果】
【０００８】
本発明にかかる表示装置の請求項１によれば、
表示すべきデータに基づいて、複数の表示領域を順次制御して指針に相当する画像を表示するように構成された表示手段とを備えた表示装置において、前記表示すべきデータが、前記表示手段における所定の表示範囲を越えたときに可聴音を発する可聴音出力手段を備えているので、視覚だけでなく、聴覚でもデータが所定の表示範囲を越えたことを把握することができる。
請求項２では、表示すべきデータが、前記表示手段における所定の表示範囲を越えたときに、その時間変化量に応じた可聴音信号を出力するので、視覚だけでなく、聴覚でもデータが所定の表示範囲を越えたときの時間変化量の大小を把握することができる。
このようにして、本発明によれば、疑似アナログメータであっても、本来の機械的な指針を備えたアナログメータにより近い使用感を得ることができるのでる。
【発明を実施するための最良の形態】
【０００９】
以下に、本発明にかかる表示装置を、その実施の形態を示した図、２に基づいて詳細に説明する。
図１において、
１は表示すべきデータを出力する表示データ出力手段、２は該表示データ出力手段１から出力されたデータに基づいて表示すべき画像データを生成する画像機能等を備えた制御手段、３は該制御手段２から出力された画像データに基づいて表示ユニット４を制御する表示制御手段である。
前記表示データ出力手段１は、例えば、受信機の受信信号強度を検出して、検出した受信信号強度を表示すべきデータとして出力するものである。
前記表示ユニット４は、例えば、図２に示したような、液晶式グラフィック表示ユニット４であり、前記表示制御手段３によって任意のドットを制御することによって、種々の角度の指針41や、目盛42等の種々の画像をグラフィック表示することができる。または、予め、種々の角度の指針や目盛等が表示素子として設定されて、前記表示制御手段３によって、どの表示素子をオン／オフ制御するか制御するように構成してもよい。
以上の構成によって、疑似アナログメータが実現されている。
【００１０】
５は比較手段であり、前記表示データ出力手段１から出力されたデータを、予め設定されたしきい値と比較して、前記しきい値を越えたときに制御信号を出力する。
６は変化量算出手段であり、前記表示データ出力手段１から出力されたデータの時間変化量を逐次算出し、算出された変化量を前記制御手段２へ出力する。
【００１１】
前記制御手段２は、前記画像機能に加えて以下に説明する可聴音機能を備えている。
前記可聴音機能は、前記比較手段５からの制御信号が前記制御手段２に入力されると、前記変化量算出手段６の出力を参照して、その時の変化量を取得する。そして、変化量の大小に応じた音量の叩音生成データを可聴音発生手段７へ出力する。この叩音生成データとは実際の叩音に類似した波形を生成するためのデータであり、可聴音合成回路や波形メモリ等を利用することができる。該可聴音発生手段７は、前記制御手段２から出力された叩音生成データに基づいて可聴音信号を生成し、スピーカ８から疑似叩音に相当する音響信号を発声させる。
【００１２】
なお、請求項１に記載された表示手段は、前記制御手段２、前記表示制御手段３、および前記表示ユニット４によって構成され、可聴音出力手段は、前記制御手段２、前記比較手段５、前記変化量算出手段６、前記可聴音発生手段７、および前記スピーカ８によって構成されている。
また、請求項２に記載された可聴音制御手段は、前記制御手段２および前記可聴音発生手段７によって構成されている。
【００１３】
このようにして、前記しきい値を越えたときの時間変化量の大小に応じた音量で、前記スピーカから疑似叩音を発声させるので、あたかも実際に機械式アナログメータが振り切れて、その指針がストッパに当たって叩音を発生させているかのような感覚を得ることができる。  従って、表示されるべきもとのデータは、デジタルデータであるにもかかわらず、疑似アナログメータによって指針が表示されることに加えて、表示すべきデータが前記しきい値を越えてメータが振り切れたときには、機械式アナログメータの場合のように叩音に類似した疑似叩音が聞こえるので、視覚だけでなく聴覚でもデータの変化の一部を把握することができるので、機械式アナログメータのような優れた使用感が得られる。
なお、表示すべきデータは、デジタルデータであってもアナログデータであってもよく、表示ユニットとしては、液晶表示装置や、ＣＲＴ表示装置を用いたものであってもよい。また、前記液晶表示装置としては、複数のセグメントを切り換えて指針を擬似的に表示する構成のものや、微少なドットを制御して指針を擬似的にグラフィック表示する構成のものでもよい。
【実施例１】
【００１４】
実施例１では、前記制御手段２の可聴音機能においては、時間変化量の大小に応じて疑似叩音の音量を大小変化させるように制御した。
【実施例２】
【００１５】
実施例２では、前記制御手段２の可聴音機能においては、時間変化量の大小に応じて疑似叩音の周波数を高低変化させるように制御した。
【実施例３】
【００１６】
実施例３では、前記比較手段５におけるしきい値は、前記振り切れる場合のしきい値以外に、複数の異なるしきい値を設定した。例えば、フルスケールの70％、80％、90％のしきい値も設定し、それぞれのしきい値を越える度に、制御手段２では異なる可聴音データを生成して、前記可聴音発生手段７を介して前記スピーカ８から異なる合成音を出力するように構成した。この場合の異なる合成音とは、異なる周波数の合成音（例えば、ドレミ・・等の合成音等）や、そのしきい値を合成音で発音するように構成してもよい。
【産業上の利用可能性】
【００１７】
本発明の表示装置は、デジタル処理による表示装置であって、指針の動きで表現できるデータの表示装置であれば広く応用することができる。
【図面の簡単な説明】
【００１８】
【図１】本発明にかかる表示装置の実施の形態のブロック図である。
【図２】前記表示装置の表示ユニットの表示画面の例である。
【符号の説明】
【００１９】
１  表示データ出力手段
２  制御手段、表示手段、可聴音制御手段
３  表示制御手段、表示手段
４  表示ユニット、表示手段
５  比較手段、可聴音出力手段
６  変化量算出手段、可聴音出力手段
７  可聴音発生手段、可聴音出力手段、可聴音制御手段、
８  スピーカ、可聴音出力手段
【図１】
2005140717.tif 000003
【図２】
2005140717.tif 000004